(57)【要約】【課題】香調を変更することが可能な揮散装置を提供すること。【解決手段】揮散装置（１）であって、互いに異なる香料成分を含む複数の香料組成物（１０）と、各香料組成物を保持する保持部（３２）を有するとともに各香料組成物（１０）を収容するケース（３０）と、各香料組成物（１０）からの前記香料成分の揮発を促進させる促進部（４０）と、各香料組成物（４０）からの前記香料成分の揮発量が相互に独立して変更されるように促進部（４０）を制御する制御部（５０）と、を備え、各香料組成物の前記香料成分は、トップノート、ミドルノート及びボトムノートに分類される成分を含むこと。【選択図】図１
2019092818.tif 000002
【特許請求の範囲】
【請求項１】
互いに異なる香料成分を含む複数の香料組成物と、
各香料組成物を保持する保持部を有するとともに各香料組成物を収容するケースと、
各香料組成物からの前記香料成分の揮発を促進させる促進部と、
各香料組成物からの前記香料成分の揮発量が相互に独立して変更されるように前記促進部を制御する制御部と、を備え、
各香料組成物の前記香料成分は、トップノート、ミドルノート及びボトムノートに分類される成分を含む、揮散装置。
【請求項２】
請求項１に記載の揮散装置において、
各香料成分の前記ボトムノートは、ムスクノートに分類される成分を含む、揮散装置。
【請求項３】
請求項２に記載の揮散装置において、
前記ムスクノートに分類される香料成分は、アンブレトン、シクロペンタデカノライド、アンブレットライド、ハバノライド、エチレンブラシレート、ムセノン、エグザルテノン、ゼノライド、グロバノン、コスモン、ムスクケトン、トナライド、セレストライド、ガラクソライド、ヘルベトライド、ロマンドライドからなる群から選択される少なくとも一種を含む、揮散装置。
【請求項４】
請求項１ないし３のいずれかに記載の揮散装置において、
前記促進部は、
各香料組成物に向けて風を送る送風機と、
前記送風機の駆動により生じた気流を各香料組成物に導く複数の導風路と、
各導風路に設けられた複数の開度調整弁と、を有し、
前記制御部は、各開度調整弁の開度を相互に独立して調整可能である、揮散装置。
【請求項５】
請求項１ないし４のいずれかに記載の揮散装置のケースの保持部に保持されることが可能な形状を有する香料組成物。
【発明の詳細な説明】
【技術分野】
【０００１】
本発明は、揮散装置に関する。
【背景技術】
【０００２】
従来、香りを揮散させる揮散装置が知られている。例えば、特許文献１には、芳香剤を収容する芳香容器と、送風機と、芳香容器及び送風機を収容するケースと、を備える揮散装置が開示されている。送風機は、芳香容器に空気を送る。これにより、芳香容器から芳香剤を含んだ空気（香り）が流出し、この空気がケースの開口を通じてケース外に揮散する。
【先行技術文献】
【特許文献】
【０００３】
【特許文献１】特開平０８−１２６６９３号公報
【発明の概要】
【発明が解決しようとする課題】
【０００４】
今日、日常生活の様々なシーン（時間帯や気分など）に応じて異なる香り（香調）が求められている。しかしながら、特許文献１に記載されるような揮散装置では、使用の開始から終了まで一定の香調を有する香りが揮散されるため、上記ニーズを満たすことができない。
【０００５】
本発明の目的は、香調を変更することが可能な揮散装置を提供することである。
【課題を解決するための手段】
【０００６】
前記課題を解決する手段として、本発明は、互いに異なる香料成分を含む複数の香料組成物と、各香料組成物を保持する保持部を有するとともに各香料組成物を収容するケースと、各香料組成物からの前記香料成分の揮発を促進させる促進部と、各香料組成物からの前記香料成分の揮発量が相互に独立して変更されるように前記促進部を制御する制御部と、を備え、各香料組成物の前記香料成分は、トップノート、ミドルノート及びボトムノートに分類される成分を含む、揮散装置を提供する。
【０００７】
本揮散装置では、促進部を制御する制御部によって各香料組成物からの香料成分の揮発量が相互に独立して調整されるので、各香料組成物から揮発した香料成分同士の混合により種々の香調を有する香りを揮散させることができ、かつ、各香料組成物が単一の香料成分のみ（例えばトップノートに分類される香調成分のみ）を含む場合に比べ、各香料組成物から揮発する香料成分同士の調和性が高まる。よって、それぞれが３つのノートを含む香料成分同士が混ざり合うことにより、安定的でかつ優れた香りが生成される。
【０００８】
具体的に、各香料成分の前記ボトムノートは、ムスクノートに分類される成分を含むことが好ましい。
【０００９】
このようにすれば、各香料組成物から揮発する香料成分同士の調和性がさらに高まる。
【００１０】
また、前記ムスクノートに分類される香料成分は、アンブレトン、シクロペンタデカノライド、アンブレットライド、ハバノライド、エチレンブラシレート、ムセノン、エグザルテノン、ゼノライド、グロバノン、コスモン、ムスクケトン、トナライド、セレストライド、ガラクソライド、ヘルベトライド、ロマンドライドからなる群から選択される少なくとも一種を含むことが好ましい。
【００１１】
また、前記揮散装置において、前記促進部は、各香料組成物に向けて風を送る送風機と、前記送風機の駆動により生じた気流を各香料組成物に導く複数の導風路と、各導風路に設けられた複数の開度調整弁と、を有し、前記制御部は、各開度調整弁の開度を相互に独立して調整可能であってもよい。
【００１２】
この態様では、制御部が各開度調整弁の開度を相互に独立して調整することにより、各香料組成物からの香料成分の揮発量が調整される。
【００１３】
また、本発明は、前記揮散装置のケースの保持部に保持されることが可能な形状を有する香料組成物を提供する。
【発明の効果】
【００１４】
以上のように、本発明によれば、香調を変更することが可能な揮散装置を提供することができる。
【図面の簡単な説明】
【００１５】
【図１】本発明の一実施形態の揮散装置の概略図である。
【図２】本発明の実施例の試験に用いた揮散装置の概略図である。
【発明を実施するための形態】
【００１６】
以下、本発明の一実施形態の揮散装置１について、図１を参照しながら説明する。この揮散装置１は、それぞれが互いに異なる香料成分を含む複数の香料組成物１０と、各香料組成物１０から香料成分を揮散させるための揮散ユニット２０と、を備えている。
【００１７】
各香料組成物１０は、例えば、シトラス系、グリーン系、フルーティ系、フローラル系、オリエンタル系、ハーバル系、マリン系、スパイシー系、ウッディ系、アルデハイディック系、ミント系、アロマティック系、アーシー系、モッシー系、ハニー系、レザー系、アニマリック系、アンバー系、ムスク系、グルマン系、パウダリー系に分類される香料成分を含む。各香料組成物１０は、それぞれ、前記香料成分として、トップノート、ミドルノート及びボトムノートに分類される成分を含む。トップノートは、２５℃において、０．０２ｍｍＨｇ以上の蒸気圧を有する成分とする。ミドルノートは、２５℃において、０．０２ｍｍＨｇ未満かつ０．００２ｍｍＨｇ以上の蒸気圧を有する成分とする。ボトムノートは、２５℃において、０．００２ｍｍＨｇ未満の蒸気圧を有する成分とする。
【００１８】
本実施形態において、各香料組成物１０は、トップノートとしては上記の蒸気圧範囲に該当する成分であれば特に限定されないが、例えば、リモネン、トリプラール、オクタナール、シス−３−ヘキセノール、ヘキシルアセテート、エチル２−メチルブチレート、リナロール、リナリルアセテート、ターピネオール、ローズオキサイドなどから選択される少なくとも一種を含む。また、各香料組成物１０は、ミドルノートとしては上記の蒸気圧範囲に該当する成分であれば特に限定されないが、例えば、エチルリナロール、ダイナスコン１０、γ−ウンデカラクトン、リリアール、シトロネロール、ゲラニオール、γ−メチルイオノン、ダマセノン、ヘリオナール、ウンデカベルトール、ジメチルベンジルカービニルアセテートなどから選択される少なくとも一種を含む。そして、各香料組成物１０は、ボトムノートとして、ムスクノートに分類される成分を含む。具体的に、各香料組成物１０は、ムスクノートに分類される香料成分として、アンブレトン、シクロペンタデカノライド、アンブレットライド、ハバノライド、エチレンブラシレート、ムセノン、エグザルテノン、ゼノライド、グロバノン、コスモン、ムスクケトン、トナライド、セレストライド、ガラクソライド、ヘルベトライド、ロマンドライドからなる群から選択される少なくとも一種を含む。
【００１９】
揮散ユニット２０は、各香料組成物１０からの香料成分の揮発量を相互に独立して変更（調整）可能であり、かつ、各香料組成物１０から揮発した香料成分同士を混合させることが可能なユニットである。具体的に、揮散ユニット２０は、ケース３０と、促進部４０と、制御部５０と、を有している。
【００２０】
ケース３０は、各香料組成物１０を収容する。このケース３０は、各香料組成物１０を保持する保持部３２と、各香料組成物１０から揮発した香料成分同士を混合させる混合空間Ｓと、を有している。また、このケース３０には、互いに混合された複数の香料成分を含む空気（香り）を外部に揮散させる揮散口３０ｈが形成されている。
【００２１】
促進部４０は、各香料組成物１０からの香料成分の揮発を促進させる。本実施形態では、促進部４０は、各香料組成物１０に向けて風を送る送風機４２と、送風機４２の駆動により生じた気流を各香料組成物１０に導く複数の導風路４４と、各導風路４４に設けられた複数の開度調整弁４６と、を有している。
【００２２】
制御部５０は、各香料組成物１０からの香料成分の揮発量が相互に独立して変更されるように促進部４０を制御する。具体的に、制御部５０は、入力信号を受信する受信部５２と、促進部４０に調整信号を送信する送信部５４と、を有する。
【００２３】
受信部５２は、外部（スマートホン等の電子デバイス）から前記入力信号を受信する。この入力信号は、例えば各香料組成物１０からの香料成分の揮発量を指示する信号である。
【００２４】
送信部５４は、受信部５２が受信した受信信号に基づいて、各開度調整弁４６に前記調整信号（開度調整弁４６の開度を指示する信号）を送信する。送信部５４は、各開度調整弁４６に対して相互に独立した調整信号を送信可能である。
【００２５】
以上に説明したように、本実施形態の揮散装置１では、促進部４０を制御する制御部５０によって各香料組成物１０からの香料成分の揮発量が相互に独立して調整されるので、各香料組成物１０から揮発した香料成分同士の混合により種々の香調を有する香りを揮散させることができる。
【００２６】
また、各香料組成物１０の香料成分は、トップノート、ミドルノート及びボトムノートに分類される成分を含むため各香料組成物１０が単一の香料成分のみ（例えばトップノートに分類される香調成分のみ）を含む場合に比べ、各香料組成物１０から揮発する香料成分同士の調和性が高まる。よって、それぞれが３つのノートを含む香料成分同士が混ざり合うことにより、安定的でかつ優れた香りが生成される。
【００２７】
さらに、各香料成分のボトムノートは、ムスクノートに分類される成分を含むため、各香料組成物１０から揮発する香料成分同士の調和性がさらに高まる。
【００２８】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２９】
例えば、促進部４０は、それぞれが各香料組成物１０に向けて風を送る複数の送風機を有していてもよい。この場合、各開度調整弁４６は省略され、制御部５０は、各送風機の回転数を調整する。あるいは、促進部４０は、各香料組成物１０を加熱する加熱部（電熱線等）を有し、制御部５０は、各加熱部に供給する電流の値を調整してもよい。あるいは、促進部４０は、それぞれが各香料組成物１０に取り付けられた複数の超音波振動子を有し、制御部５０は、各超音波振動子の周波数（振動数）を調整してもよい。あるいは、促進部４０は、それぞれが各香料組成物１０に取り付けられた複数のスプレーコントローラーを有し、制御部５０は、各スプレーコントローラーの単位時間あたりの噴霧回数を調整してもよい。
【００３０】
また、各香料組成物１０の香料成分に含まれるボトムノートは、ムスクノートに分類される成分以外の成分を含んでいてもよい。
【００３１】
また、揮散ユニット２０は、受信部５２に対して入力信号を送信可能な操作部（各香料組成物１０からの香料成分の揮発量を調整可能な摘み等）を有していてもよい。
【実施例】
【００３２】
次に、上記実施形態の実施例について説明する。この実施例では、揮散ユニット２０として、図２に示される試験装置を用い、香調の調和性の評価試験を行った。なお、本発明は、これらの例によってなんら限定されるものではない。
【００３３】
この試験では、香料組成物１０として、表１に示される９つの処方のいずれか１つを１ｇ含浸させたＰＥＴ製の吸液芯を用いた。なお、表１において、リモネン及びトリプラールは、トップノートに分類される成分であり、エチルリナロール及びダイナスコンは、ミドルノートに分類される成分であり、ヘキシルサリシレート及びヘキシルシンナミックアルデヒドは、ムスクノートに分類されないボトムノートに分類される成分であり、ガラクソライド、ハバノライド及びエチレンブラシレートは、ムスクノートかつボトムノートに分類される成分である。
【００３４】
【表１】
2019092818.tif 000003
【００３５】
図２の試験装置では、保持部３２として、それぞれがポリプロピレンからなる２つのシリンジ（それぞれ、内径１３ｍｍ、長さ１１８ｍｍ）を用い、導風路４４として、塩化ビニル製のチューブ（内径４ｍｍ）を用い、送風機４２として、エアポンプを用いた。具体的に、この試験装置を用いた試験では、互いに異なる２つの香料組成物（吸液芯）を各シリンジに収容し、それらのシリンジに対してエアポンプから流速６７３ｍＬ／ｍｉｎで空気を送った。そして、チューブの下流側の端部である揮散口３０ｈから流出した複数の香料成分を含む空気（香り）を５名の調香師が嗅ぐことにより、香調の調和性を評価した。評価基準は、以下のとおりである。
【００３６】
（評価基準）
５：互いの香調が非常に良く調和している。
４：互いの香調が良く調和している。
３：互いの香調が調和している。
２：互いの香調があまり調和していない。
１：互いの香調がほとんど調和していない。
【００３７】
また、各吸液芯に含浸されている香料組成物１０の組み合わせ及びその評価結果は、表２のとおりである。なお、表２の評価結果には、５名の調香師による評価の平均値が示されている。
【００３８】
【表２】
2019092818.tif 000004
【００３９】
表２に示されるように、ボトムノートを含まない組み合わせである比較例１と、ミドルノート及びボトムノートを含まない組み合わせである比較例２とは、香調の調和性が良くないことが確認された。
【００４０】
一方、トップノート、ミドルノート及びボトムノートの全てを含む組み合わせである実施例１〜３は、いずれも評価結果が３以上であることから、ボトムノートの存在が互いの調和性を良くしていることが確認された。特に、ムスクノートに分類されるボトムノートを含む組み合わせである実施例２及び実施例３は、ムスクノートに分類されないボトムノートを含む組み合わせである実施例１よりも評価結果が高いことから、ムスクノートは、ボトムノートに分類される成分の中でも、より調和性の向上に寄与することが確認された。
【符号の説明】
【００４１】
１    揮散装置
１０    香料組成物
２０    揮散ユニット
３０    ケース
３０ｈ  揮散口
３２    保持部
４０    促進部
４２    送風機
４４    導風路
４６    開度調整弁
５０    制御部
５２    受信部
５４    送信部
Ｓ    混合空間
【図１】
2019092818.tif 000005
【図２】
2019092818.tif 000006